(57)【要約】【課題】加熱装置使用中に不用意に扉を開けられないよう扉拘束手段を持った安全性の高い加熱装置を提供する。【解決手段】加熱装置本体１に具備された加熱室２の開閉扉３を加熱中や加熱室温度が高いとき開かないよう、使用者の意図、あるいは自動的に、フック５が扉上面の挿入穴６に差し込まれることで、扉の開きを拘束して不用意な扉の動作を出来なくする。またフックの形状の工夫により、誤って扉を閉めたとき、フックが折損しない形状とし、フックが自動に下がることで、扉を閉めた際に自動的にロックがかかることも可能である。上記構成からこの加熱装置では、加熱中の使用者が不用意に扉を開けることを軽減し、特に年少者が危険にさらされることの無い意味で、特に有効な機能を具備した装置と言える。【選択図】図３
2010139120.tif 000002
【特許請求の範囲】
【請求項１】
被加熱物が収納される加熱室の前面に設けられた縦開き扉と、加熱室の上方且つ
前面側に設けられ、被加熱物の加熱条件を設定する回転収納式操作部と、操作部
保持枠に設けられ、操作ノブと連動するスライド式フックを下げると、前記操作
部直下に配置された縦開き扉の上面穴に前記フックの先端が挿入され、縦開き扉
をロックするスライド式ロック機構を備えたビルトイン型加熱調理器。
【請求項２】
回転収納式操作部の収納時に、回転収納式操作部の前板により、スライド式フッ
クに連動する操作ノブを隠す請求項１に記載のビルトイン型加熱機器。
【請求項３】
フックの前縁を斜めにすることにより、閉じられる縦開き扉によってフックが押
し上げられる構成を有する請求項１に記載のビルトイン型加熱機器。
【請求項４】
縦開き扉を閉める際に押し上げられたフックが、縦開き扉を閉めると自重により
扉上面の穴に嵌合し、自動的にロック状態となる請求項３に記載のビルトイン型
加熱機器。
【請求項５】
請求項１〜４のいずれか１項に記載のビルトイン型加熱装置を組み込んだ収納家具。
【請求項６】
請求項１〜５のいずれか１項に記載のビルトイン型加熱装置を組み込んだ壁体。
【発明の詳細な説明】
【技術分野】
【０００１】
本発明はヒータやマイクロ波等によって被加熱物を加熱する加熱機器に関し、特に収納家具等に組み込んで使用する場合に好適な加熱機器及びこれを組み込んだ家具、壁体に関する。
【背景技術】
【０００２】
一般にヒータやマイクロ波等によって被加熱物を加熱する加熱機器、例えば高周波加熱機器は機器の前面に加熱室に被加熱物を出し入れする回転自在の扉と加熱手段等の操作部が設けてある。
【０００３】
また、レンジ下などの格納空間内に収容設置されるビルトイン型加熱調理器において、は、キッチンの床上に直接設置される使い方をされている。また、使用しない時には、操作部を回転収納させ不用意にキー入力など出来ないような構成の加熱機器がある（例えば、特許文献１参照）。
【特許文献１】特開２００５−００３３１９号公報
【発明の開示】
【発明が解決しようとする課題】
【０００４】
しかしながら上記従来の加熱機器で被加熱物を加熱した場合、加熱中または加熱後に加熱室扉を開けた際、加熱室壁面や、ドア内面に不用意に触れることにより、使用者の使用状態によって危険が及ぶ可能性があるという課題があった。
【０００５】
特に、危険性を理解しない年少者は、興味本位でドアを開けることがあり、特に危険回避のために留意しなければならない。
【０００６】
本発明はこのような課題を解決したもので、機器操作部隣に、上下スライドできるフックを設け、このフックが、ドア上面の穴に差し込まれることによって、フックを下げた状態、即ち、ロックされた状態で扉を開けることが出来なくなることで、年少者に対してより安全性の高い加熱機器の提供を目的としたものである。
【課題を解決するための手段】
【０００７】
本発明は上記目的を達成するため、加熱室と、前記加熱室内の被加熱物を加熱する加熱手段と、前記加熱室を開閉する扉と、前記加熱手段の駆動を制御する操作部と、扉の開きを抑制するフックによるロック機構により、不用意なドアの開放を防ぐ構成としている。
【０００８】
また、このロック機構を動作させるノブは、回転収納式操作部を閉じることによって、収納前板により、コンシールされる構成となっている。
【０００９】
これによって不用意に扉を開けられない機構を設け危険が使用者に及ぶことを低減できる。
【発明の効果】
【００１０】
本発明は、加熱室と、前記加熱室内の被加熱物を加熱する加熱手段と、前記加熱室を開閉する扉と、前記加熱手段の駆動を制御する操作部と、扉の開きを抑制するフックを動作可能なノブを備え、そのノブは前記収納可能な操作部を閉じることによって、外から見えなくなる構成によって、不用意なドアの開放を防ぐ構成としている。
【００１１】
これによって不用意に扉を開けられない機構が使用者への危険を低減できる。
【発明を実施するための最良の形態】
【００１２】
第１の発明は、被加熱物が収納される加熱室の前面に設けられた縦開き扉と、加熱室の上方且つ前面側に設けられ、被加熱物の加熱条件を設定する回転収納式操作部と、操作部保持枠に設けられ、操作ノブと連動するスライド式フックを下げると、前記操作部直下に配置された縦開き扉の上面穴に前記フックの先端が挿入され、縦開き扉をロックするスライド式ロック機構を備えたものである。これにより、ドアの動きを拘束し、不用意なドアの開放を防ぐ構成としている。
【００１３】
第２の発明は、第１の発明において、回転収納式操作部の収納時に、回転収納式操作部の前板により、スライド式フックに連動する操作ノブを隠すものである。これによって、不用意に扉を開けられないようにすることができる。
【００１４】
第３の発明は、第１の発明において、フックの前縁を斜めにすることにより、閉じられる縦開き扉によってフックが押し上げられる構成を有するフックを下げた状態で扉を閉めても、扉によってフックが押し上げられることで、フックや扉の折損を防止することができる。
【００１５】
第４の発明は、第３の発明において、縦開き扉を閉める際に押し上げられたフックが、縦開き扉を閉めると自重により扉上面の穴に嵌合し、自動的にロック状態となるものである。これにより、確実な扉のロックを実現することができる。
【００１６】
以下、本発明の実施の形態を図面を参照しながら説明する。なお、この実施の形態によって本発明が限定されるものではない。
【００１７】
図１は、本発明の実施の形態における加熱機器の構成概略図を示すものである。図２（ａ）、（ｂ）はそれぞれ、本実施の形態における加熱機器の正面図、側面図である。
【００１８】
図３は、本実施の形態における加熱装置の扉の開閉を拘束するフック５と操作部前板１０により、フック５のノブ７が隠される構成を示したものであり、図３（ａ）は、操作部前板１０を開けた状態、図３（ｂ）は、操作部前板１０を閉じた状態をそれぞれ示している。
【００１９】
図４は、本実施の形態における加熱装置の扉の開閉を拘束するフック５の詳細形状図と扉の関係を示したものであり、図４（ａ）は、フック５が挿入穴６に嵌合していない状態、図（ｂ）は、フック５が挿入穴６に嵌合している状態をそれぞれ示している。
【００２０】
これらの図において、加熱装置本体１は、レンジ下に設置されることを想定して作られているため、設置時においては、加熱装置の前面部からのみ、使用者が触れることが出来る。この加熱装置はヒータあるいは高周波あるいはスチーム等の加熱手段によって被加熱物を加熱する加熱室２が設けてある。
【００２１】
加熱室２を開閉する扉３には、扉中央上部にハンドル４が設けられ、使用者により開閉自在となっている。扉上面には、フック５により扉を開く動きを拘束するための挿入穴６が設けられている。
【００２２】
フック５には、使用者がフック５の位置を自由に調節してロックしたり、解除したり移動させるためのノブ７が付けられている。使用者がノブ７を下方にスライドさせることで、フック５が扉の挿入穴６に挿入され、扉３の動きを拘束する。前記装置本体の扉上方に
設けた操作部８は、使用者が加熱手段等を操作するためのものである。
【００２３】
この操作部８は回転格納式となっており、使用者が機器の操作をしてほしくない場合などに操作部８を回転させ、格納部９に収納できることになっている。
【００２４】
この際、操作部８を閉じた時の前板１０はノブ７の前まで延長配置されている結果、操作部８が収納部９に格納されている状態において、前板１０によって、ノブ７は隠され、使用者（特に年少者）が容易にノブ７を操作して扉３の拘束を解除し難い構成となっている。
【００２５】
一方、使用者がノブ７を誤って操作し、フック５が下がった状態のまま、扉３を閉めたため、フック５が扉３と衝突しフック５が折損することの無いよう、フック５の前縁には斜めに後退したテーパ形状１１が設けられている。
【００２６】
この結果、フック５が下がった状態で扉３を閉めても、扉３の縁が閉まる力でフック５がテーパ形状１１に沿って押し上げられ、フック５が折損することを防止する。
【００２７】
また、フック５が自重によって常に下がった状態とした場合、扉３を閉めた際、テーパ形状１１によって、フック５は一旦押し上げられるが、扉上面の挿入穴６のため、フック５が穴６に挿入され、扉３を閉めて自動的にフック５がドアを拘束する構成とすることも出来る。これにより、使用者がフック５を操作し忘れても、扉３が拘束され、不用意に扉３が開かれて危険にさらされる可能性を下げることが出来る。
【００２８】
上記実施の形態において、各機能を組み合わせて相乗的に加熱室からの熱気の低減に利用できることは言うまでも無い。
【産業上の利用可能性】
【００２９】
本発明の加熱機器は、低い位置に設置されるにもかかわらず、扉の開くことに対して拘束をすることが出来るため、特に年少者によって、扉を開けられることによって、危険に曝されることを低減できるので、レンジ下に設置される電子レンジや電気オーブンなどの用途に利用できる。
【図面の簡単な説明】
【００３０】
【図１】本発明の実施の形態における加熱機器の斜視図
【図２】本発明の実施の形態における加熱機器の正面図および側面図
【図３】同加熱装置の扉の開閉を拘束するフックと操作部前板１０により、フックのノブが隠される構成を示す図
【図４】同加熱装置の扉の開閉を拘束するフックの詳細形状と扉の関係を示す図
【符号の説明】
【００３１】
１  加熱機器本体
２  加熱室
３  扉
４  ハンドル
５  フック
６  挿入穴
７  ノブ
８  操作部
９  格納部
１０  操作部前板
１１  テーパ形状
【図１】
2010139120.tif 000003
【図２】
2010139120.tif 000004
【図３】
2010139120.tif 000005
【図４】
2010139120.tif 000006